(57)【要約】  本出願は、対象物検証方法、装置、およびシステムを開示する。方法は、第１対象物の画像情報を取得することと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較することと、比較結果に基づいて、第１対象物が検証をパスするかどうかを決定することを含んでいる。本出願は、従来の顔認識技術における低精度問題を解決する。【選択図】図１
2021523481.tif 000002
【特許請求の範囲】
【請求項１】
対象物検証方法であって、
第１対象物の画像情報を取得することと、
比較結果を得るために、前記第１対象物の前記取得された画像情報を、前記第１対象物の予め格納されている画像と前記第１対象物に類似している特徴を有している第２対象物の予め格納されている画像を備えている、予め定義されている条件を満足する画像と比較することと、
前記比較結果に基づいて、前記第１対象物が検証をパスするかどうかを決定することを備えている方法。
【請求項２】
前記比較結果を得るために、前記第１対象物の前記取得された画像情報を、予め定義されている条件を満足する画像と比較することは、
第１類似性値を得るために、前記第１対象物の前記取得された画像情報と、前記第１対象物の前記予め格納されている画像との間の類似性を計算することと、
第２類似性値を得るために、前記第１対象物の前記取得された画像情報と、前記第２対象物の前記予め格納されている画像との間の類似性を計算することを備えており、
前記第１類似性値は、前記第１対象物の自己類似性を表わすように構成されており、前記第２類似性値は、前記第１対象物と前記第２対象物との間の類似性を表わすように構成されている請求項１に記載の方法。
【請求項３】
前記比較結果に基づいて、前記第１対象物が前記検証をパスするかどうかを決定することは、
前記第１類似性値を前記第２類似性値と比較することと、
前記第１類似性値が前記第２類似性値以上の場合、前記第１対象物は前記検証をパスすると決定することと、
前記第１類似性値が前記第２類似性値より小さい場合、前記第１対象物は前記検証に失敗すると決定することを備えている請求項２に記載の方法。
【請求項４】
前記第１対象物の前記予め格納されている画像は、異なる時間に取得された複数の第１サブ画像を備えており、前記第１類似性値を得るために、前記第１対象物の前記取得された画像情報と、前記第１対象物の前記予め格納されている画像との間の類似性を計算することは、
複数の第１サブ類似性値を得るために、前記第１対象物の前記画像情報と、前記第１サブ画像のそれぞれとの間の類似性を計算することと、および前記複数の第１サブ類似性値の平均値を前記第１類似性値として計算すること、または、
複数の第１サブ類似性値を得るために、前記第１対象物の前記画像情報と、前記第１サブ画像のそれぞれとの間の類似性を計算することと、および前記複数の第１サブ類似性値の最大値を前記第１類似性値として選択すること、または、
複数の第１サブ類似性値を得るために、前記第１対象物の前記画像情報と、前記第１サブ画像のそれぞれとの間の類似性を計算することと、および前記複数の第１サブ類似性値の最大分散を前記第１類似性値として計算すること、または、
複数の第１サブ類似性値を得るために、前記第１対象物の前記画像情報と、前記第１サブ画像のそれぞれとの間の類似性を計算することと、および前記複数の第１サブ類似性値の最小値を前記第１類似性値として選択すること、または、
複数の第１サブ類似性値を得るために、前記第１対象物の前記画像情報と、前記第１サブ画像のそれぞれとの間の類似性を計算することと、および前記複数の第１サブ類似性値の最小分散を前記第１類似性値として計算することを備えている請求項２または３に記載の方法。
【請求項５】
前記第２対象物の前記予め格納されている画像は、異なる時間に取得された複数の第２サブ画像を備えており、前記第２類似性値を得るために、前記第１対象物の前記取得された画像情報と、前記第２対象物の前記予め格納されている画像との間の類似性を計算することは、
複数の第２サブ類似性値を得るために、前記第１対象物の前記画像情報と、前記第２サブ画像のそれぞれとの間の類似性を計算することと、および前記複数の第２サブ類似性値の平均値を前記第２類似性値として計算すること、または、
複数の第２サブ類似性値を得るために、前記第１対象物の前記画像情報と、前記第２サブ画像のそれぞれとの間の類似性を計算することと、および前記複数の第２サブ類似性値の最大値を前記第２類似性値として選択すること、または、
複数の第２サブ類似性値を得るために、前記第１対象物の前記画像情報と、前記第２サブ画像のそれぞれとの間の類似性を計算することと、および前記複数の第２サブ類似性値の最大分散を前記第２類似性値として計算すること、または、
複数の第２サブ類似性値を得るために、前記第１対象物の前記画像情報と、前記第２サブ画像のそれぞれとの間の類似性を計算することと、および前記複数の第２サブ類似性値の最小値を前記第２類似性値として選択すること、または、
複数の第２サブ類似性値を得るために、前記第１対象物の前記画像情報と、前記第２サブ画像のそれぞれとの間の類似性を計算することと、および前記複数の第２サブ類似性値の最小分散を前記第２類似性値として計算することを備えている請求項２または３に記載の方法。
【請求項６】
前記第１対象物の前記画像情報を取得する前に、
前記第１対象物のアイデンティティを検証するための検証要求を受信することと、
前記検証要求が出されている前記第１対象物が、自身の識別結果が正しい結果から逸脱している、誤認識される可能性のある対象物かどうかを決定することと、
前記第１対象物が、誤認識される可能性のある対象物である場合、前記第１対象物の前記画像情報を取得すること、および前記第１対象物の前記取得された画像情報を、前記予め定義されている条件を満足する画像と比較することと、
前記第１対象物が、誤認識される可能性のある対象物でない場合、前記第１対象物の前記画像情報を取得することと、および、前記第１対象物が前記検証をパスするかどうかを決定するために、前記取得された画像情報を、前記第１対象物の前記予め格納されている画像と比較することを更に備えている請求項１に記載の方法。
【請求項７】
前記第１対象物は、誤認識される可能性のある対象物であると決定された場合、前記第１対象物の前記画像情報の前記取得の前に、
前記第１対象物に関連する、誤認識される可能性のレベルが閾値を超えるかどうかを決定することと、
前記誤認識される可能性のレベルが前記閾値を超える場合、前記検証要求を停止することと、
前記誤認識される可能性のレベルが前記閾値よりも低い場合、前記第１対象物に複数の行動を実行させるように命令するように構成されている複数の取得命令を発行することを更に備えている請求項６に記載の方法。
【請求項８】
前記複数の取得命令は、前記第１対象物の複数の第１画像情報を取得することと、複数の比較結果を得るために、前記複数の第１画像情報のそれぞれを、前記予め定義されている条件を満足する画像と比較することを誘発する請求項７に記載の方法。
【請求項９】
前記複数の比較結果の中の同一の比較結果の数が所定の閾値を超える場合、前記第１対象物は前記検証をパスすると決定する請求項８に記載の方法。
【請求項１０】
対象物検証装置であって、
第１対象物の画像情報を取得するように構成されている取得モジュールと、
比較結果を得るために、前記第１対象物の前記取得された画像情報を、前記第１対象物の予め格納されている画像と前記第１対象物に類似している特徴を有している第２対象物の予め格納されている画像を備えている、予め定義されている条件を満足する画像と比較するように構成されている比較モジュールと、
前記比較結果に基づいて、前記第１対象物が検証をパスするかどうかを決定するように構成されている決定モジュールを備えている装置。
【請求項１１】
プログラムを格納するように構成されている格納媒体であって、前記格納媒体を備えている装置は、前記プログラムが実行されると、下記の、
第１対象物の画像情報を取得するステップと、
比較結果を得るために、前記第１対象物の前記取得された画像情報を、前記第１対象物の予め格納されている画像と前記第１対象物に類似している特徴を有している第２対象物の予め格納されている画像を備えている、予め定義されている条件を満足する画像と比較するステップと、
前記比較結果に基づいて、前記第１対象物が検証をパスするかどうかを決定するステップを実行するように構成されている格納媒体。
【請求項１２】
プロセッサを備えているモバイル装置であって、前記プロセッサは、
第１対象物の画像情報を取得するステップと、
比較結果を得るために、前記第１対象物の前記取得された画像情報を、前記第１対象物の予め格納されている画像と前記第１対象物に類似している特徴を有している第２対象物の予め格納されている画像を備えている、予め定義されている条件を満足する画像と比較するステップと、
前記比較結果に基づいて、前記第１対象物が検証をパスするかどうかを決定するステップを実行するためのプログラムを実行するように構成されているモバイル装置。
【請求項１３】
対象物検証システムであって、
プロセッサと、
前記プロセッサに接続されているメモリであって、前記メモリは前記プロセッサに、
第１対象物の画像情報を取得するステップと、
比較結果を得るために、前記第１対象物の前記取得された画像情報を、前記第１対象物の予め格納されている画像と前記第１対象物に類似している特徴を有している第２対象物の予め格納されている画像を備えている、予め定義されている条件を満足する画像と比較するステップと、
前記比較結果に基づいて、前記第１対象物が検証をパスするかどうかを決定するステップを実行するための命令を提供するように構成されている対象物検証システム。
【請求項１４】
対象物検証方法であって、
第１対象物の画像情報を取得することと、
前記第１対象物の前記画像情報に基づいて、前記第１対象物に類似している特徴を有している第２対象物を識別することと、
比較結果を得るために、前記第１対象物の前記画像情報を、前記第１対象物の予め格納されている画像および前記第２対象物の予め格納されている画像それぞれと比較することと、
前記比較結果に基づいて、前記第１対象物が検証をパスするかどうかを決定することを備えている方法。
【請求項１５】
前記第１対象物の前記画像情報に基づいて、前記第１対象物に類似している特徴を有している前記第２対象物を識別することは、
予め定義されているデータベースから、複数の対象物の画像情報を得ることと、
前記第１対象物と複数の対象物との間の類似性の程度を得るために、前記第１対象物の前記画像情報を、前記複数の前記画像情報と比較することと、
前記類似性の程度と、所定の類似性の程度に基づいて、前記複数の対象物から前記第２対象物を識別することを備えている請求項１４に記載の方法。
【発明の詳細な説明】
【技術分野】
【０００１】
本願は、２０１８年５月１４に出願された、「対象物検証方法、装置、およびシステム」というタイトルの、中国特許出願第２０１８１０４５８３１８．２号の優先権を主張するものであり、その全体は、ここにおいて参照文献として組み込まれる。
【０００２】
本願は、画像認識の分野に関し、より特別には、対象物検証方法、装置、およびシステムに関する。
【背景技術】
【０００３】
パスワード、ＳＭＳメッセージなどに基づく従来のアイデンティティ検証技術は、セキュリティが低く、ユーザ体感が満足すべきものではないなどの欠点を有している。それと比較して、種々のバイオメトリック（生物測定に基づく）特性に基づくアイデンティティ検証技術は、セキュリティ、利便性、および迅速性の利点を有し、そのため、急速に発展しているインターネット技術と共に、我々の日常生活において幅広い用途を見出している。バイオメトリック特性に基づくそのようなアイデンティティ検証技術の１つとして、顔認識が、支払およびオフィス入室監視などのような日常生活の適用の広い範囲で使用されている。
【０００４】
しかし、既存の顔認識技術は、非常に似ている人間（例えば、双子）間の区別にしばしば失敗し、例えば、子供が、彼自身／彼女自身のための支払を行うために、彼／彼女の父親の支払ツールにおいて顔認識システムを欺き、または双子の姉妹の１人が、双子の他方の入室を装って、双子の他方の会社の顔認識システムを欺く可能性を残している。特に、便利な支払の適用においては、顔誤認識は、財政的損失のより高いリスクに繋がり得る。
【０００５】
現在まで、既存の顔認識技術の低精度問題に対しては、効果的な解決策は提案されていない。
【発明の概要】
【０００６】
本願の実施形態においては、既存の顔認識技術における低精度問題を少なくとも解決するために、対象物検証方法、対象物検証装置、および対象物検証システムが提供される。
【０００７】
本発明の実施形態の１つの態様によれば、対象物検証方法が提供され、方法は、第１対象物の画像情報を取得することと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較することと、比較結果に基づいて、第１対象物が検証をパスするかどうかを決定することを備えている。
【０００８】
本発明の実施形態の他の態様によれば、対象物検証装置が提供され、装置は、第１対象物の画像情報を取得するように構成されている取得モジュールと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較するように構成されている比較モジュールと、比較結果に基づいて、第１対象物が検証をパスするかどうかを決定するように構成されている決定モジュールを備えている。
【０００９】
本発明の実施形態の更なる態様によれば、プログラムを格納するように構成されている格納媒体が提供され、この格納媒体を備えている装置は、プログラムが実行されると、下記の、第１対象物の画像情報を取得するステップと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較するステップと、比較結果に基づいて、第１対象物が検証をパスするかどうかを決定するステップを実行するように構成されている。
【００１０】
本発明の実施形態の更なる態様によれば、プロセッサを備えているモバイル装置が提供され、プロセッサは、第１対象物の画像情報を取得するステップと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較するステップと、比較結果に基づいて、第１対象物が検証をパスするかどうかを決定するステップを実行するためのプログラムを実行するように構成されている。
【００１１】
本発明の実施形態の更なる態様によれば、対象物検証システムが提供され、対象物検証システムはプロセッサと、プロセッサに接続されているメモリを備えており、メモリはプロセッサに、第１対象物の画像情報を取得するステップと、比較結果を得るために、第１対象物の取得された画像情報を、第１対象物の予め格納されている画像と第１対象物に類似している特徴を有している第２対象物の予め格納されている画像を備えている、予め定義されている条件を満足する画像と比較するステップと、比較結果に基づいて、第１対象物が検証をパスするかどうかを決定するステップを実行するための命令を提供するように構成されている。
【００１２】
本発明の実施形態の更なる態様によれば、対象物検証方法が提供され、方法は、第１対象物の画像情報を取得することと、第１対象物の画像情報に基づいて、第１対象物に類似している特徴を有している第２対象物を識別することと、比較結果を得るために、第１対象物の画像情報を、第１対象物の予め格納されている画像および第２対象物の予め格納されている画像それぞれと比較することと、比較結果に基づいて、第１対象物が検証をパスするかどうかを決定することを備えている。
【００１３】
本願の実施形態においては、多数の比較が行われる。第１対象物の取得された画像情報を、予め定義されている条件を満足する画像と比較することにより得られる比較結果は、第１対象物が検証をパスするかどうかを決定するための根拠としての役割を果たす。予め定義されている条件を満足する画像は、第１対象物の予め格納されている画像と、第１対象物に類似している特徴を有している第２対象物の予め格納されている画像を含んでいる。このようにして、削減された顔誤認識率が達成され、改良された情報セキュリティという結果になる。これは、従来の顔認識技術における低精度問題を解決する。
【００１４】
ここにおいて記述されている付随する図面は、本出願の一部を構成し、出願の理解を容易にする目的のために提示されている。本出願の例としての実施形態およびその記述は例であり、出願を不当に制限するものではない。
【図面の簡単な説明】
【００１５】
【図１】本願の実施形態に係る対象物検証方法のフローチャートである。
【図２】本願の実施形態に係る対象物検証方法に基づく、オプションとしての顔認識製品の動作のフローチャートである。
【図３】本願の好適な実施形態に係る対象物検証方法のフローチャートである。
【図４】本願の実施形態に係る対象物検証装置の構造模式図である。
【図５】本願の実施形態に係るコンピュータ端末のハードウェアアーキテクチャを示しているブロック図である。
【図６】本願の実施形態に係る対象物検証方法のフローチャートである。
【発明を実施するための形態】
【００１６】
当業者が、本出願の主題をより良好に理解するために、本出願の実施形態が、付随する図面を参照して下記に明確且つ完全な方法で記述される。明白なことであるが、ここにおいて記述される実施形態は、出願の実施形態の一部に過ぎず、すべてではない。創造的努力をせずに、開示される実施形態に基づいて当業者により得られる如何なる、およびすべての他の実施形態は、本出願の保護範囲に含まれることが意図されている。
【００１７】
本出願の記述、請求項、および図面における「第１の」、「第２の」などのような用語は、類似の要素を区別するために使用されており、必ずしも、特別な連続的または時系列な順序に記述するためではないということに留意すべきである。そのように使用されている用語は、ここにおいて記述されている本出願の実施形態が、ここにおいて例示されている、または記述されている以外の順序で動作可能なような適切な状況においては、入れ換えることができるということは理解されるべきである。更に、「含む」、「備える」、および「有する」という用語、およびその変形例は、非排他的包含をカバーすることが意図されており、要素またはステップのリストを備えているプロセス、方法、システム、製品、または装置は、必ずしもそれらのリストに記載された要素に制限されず、そのようなプロセス、方法、システム、製品、または装置に明示的にリストされていない、またはそれらに固有の他の要素またはステップも含むことができる。
【００１８】
まず第１に、本出願の実施形態の記述において出現する可能性のある幾つかのフレーズと用語は下記のように説明される。
「顔認識」とは、顔の特徴に基づいて人間を識別するためのバイオメトリック認識技術である。現在では、ディープラーニングアルゴリズムを、大量の人間の顔画像データに基づいて、目的の対象物のアイデンティティを決定するために使用できる。
「顔誤認識」とは、人間の顔を正しく認識する顔認識技術の失敗のことであり、誤った一致判断に繋がる。例えば、１，０００回の顔画像認識の試行のうち１０回が誤った解答を出した場合、誤認識率は１％と定義できる。
「顔認識管理」とは、顔認識製品のカバレッジ、パスレート、セキュリティの管理のことである。顔認識管理は本質的には、（ｉ）顔認識製品のカバレッジに主に関連する顔認識製品の制約と、（ｉｉ）顔認識製品のパスレートおよびユーザ体感に主に関連する顔認識製品の相互作用機構と、（ｉｉｉ）顔認識製品のパスレートに主に関連する顔認識製品の顔比較機構と、（ｉｖ）顔認識製品のパスレートとセキュリティに主に関連する顔認識製品の比較結果に基づく処理から構成されている。
「誤認識される可能性のある人間」とは、顔画像、ＩＤカード番号および名前が他の人間と非常に類似している人間のことである。誤認識される可能性のある人間は、誤認識される可能性が高い人間を含んでいる。例えば、人間ＡとＢの両者が、顔の認識製品に予め格納されている人間Ａの顔画像と９５％類似している場合、彼らは、誤認識される可能性が高い人間と識別できる。誤認識される可能性の高い人間とは、主に双子および他の多胎児を含んでいる。
第１実施形態
【００１９】
本出願の実施形態においては、対象物検証方法が提供される。付随する図面におけるフローチャートに示されているステップは、例えば、コンピュータシステムにおけるコンピュータ実行可能命令のセットを実行することにより実行できるということに留意すべきである。追加的に、論理的な順序がフローチャートにおいて示されているが、幾つかの状況においては、ステップは、ここにおいて示され、または記述されている以外の他の順序でも実行できる。
【００２０】
加えて、本出願において提供される対象物検証方法は、特に、双子の兄弟または姉妹、または両親および彼らの子供などのような、類似している顔の特徴を有する人間に対して、削減された誤認識率での顔認識を可能にする。
【００２１】
本出願において提供される対象物検証方法は、支払およびオフィス入室監視などのような適用において広く使用できるということにも留意すべきである。本出願において提供される対象物検証方法は、例として支払の適用におけるその使用法と共に下記に要約される。製品の購入を所望するユーザＡが、彼／彼女のモバイルフォン上に表示されている支払ボタンをクリックすると仮定すると、彼／彼女は、支払インタフェースに進むことになる。従って、モバイルフォンは、ユーザＡの顔画像を取得するためにカメラを起動し、それに基づいて、ユーザＡがご認識される可能性のある人間かどうかを決定する。ユーザＡは誤認識される可能性のある人間ではないと決定されると、この技術における従来の顔認識方法が、支払を完了するためにユーザＡの顔を認識するために使用される。ユーザＡは誤認識され得る人間であると決定されると、彼／彼女は、誤認識される可能性が高い人間であるかどうかが更に決定される。ユーザＡが誤認識される可能性の高い人間であると決定されると、ユーザＡは、支払を顔認識で完了することが可能とされないということが通知され、ユーザＡは、この目的のためのパスワードを入力しなければならない。ユーザＡは誤認識される可能性のある人間であるが、誤認識される可能性の高い人間ではないと決定されると、第１比較結果が、彼／彼女の画像情報を、支払ソフトウェアアプリケーションに予め格納されている画像と比較することにより得られ、そして、第２比較結果が、彼／彼女の画像情報を、支払ソフトウェアアプリケーションに予め格納されているユーザＢの画像と比較することにより得られる。引き続いて、第１および第２比較結果は、ユーザＡが顔認識で支払を完了することが可能とされるかどうかを決定するための根拠としての役割を果たす。
【００２２】
本出願において提供される対象物検証方法において実行される上記の多数回の比較は、削減された顔誤認識率というだけでなく、増大された情報セキュリティという結果をもたらすことができる。
【００２３】
本出願において提供される対象物検証方法は、モバイル端末、コンピュータ端末などのような画像を取得できる装置において動作できる。モバイル端末は、下記に制限されないが、モバイルフォン、タブレットなどであることができる。
【００２４】
具体的には、図１は、本出願の実施形態に係る、上記の動作環境における使用のための対象物検証方法のフローチャートである。図１において示されているように、対象物検証方法は以下に記述されるステップを含むことができる。
【００２５】
ステップＳ１０２、第１対象物の画像情報を取得する。
【００２６】
ステップＳ１０２において、第１対象物の画像情報が、画像を取得できる装置により取得される。装置は、下記に制限されないが、コンピュータ端末、モバイル端末などであることができる。装置は、第１対象物の予め格納されている画像をクラウドサーバから得ることができる。加えて、第１対象物の画像情報は、顔の特徴の相対的な位置、顔の形状などのような、第１対象物の少なくとも顔画像情報を含んでいる。第１対象物は、他の対象物に類似している１つ以上の特徴を有することができる。例えば、双子であるユーザＡとＢに対して、ユーザＡは第１対象物として見なすことができる。
【００２７】
オプションとして、第１対象物は、顔認識により支払を完了することを所望しているユーザであることができる。ユーザが、ショッピングソフトウェアアプリケーション上で注文した後、または支払ソフトウェアアプリケーション（例えば、ＷｅＣｈａｔまたはバンキングソフトウェアアプリケーション）を直接起動した後、支払インタフェースまで進んだとき、彼／彼女のモバイル端末におけるカメラは起動され、ユーザの画像情報を取得し、取得された画像は、モバイル端末の画面上に表示される。そして、モバイル端末は、取得された画像が、ユーザの顔を含んでいるかどうか、およびそれが有効であるかどうかを検出する。モバイル端末がその画像はユーザの顔を含んでいないと判断すると、モバイル端末は、ユーザにその画像情報を再び取得するように促す。モバイル端末が、画像はユーザの顔を含んでいるが、それは無効であると判断すると（例えば、画像においてユーザの１つの耳しか映っていない）、モバイル端末は、ユーザにその画像情報を再び取得するように促す。
【００２８】
ステップＳ１０４、比較結果を得るために、第１対象物の取得された画像情報を、予め定義されている条件を満足する画像と比較する。予め定義されている条件を満足する画像は、第１対象物の予め格納されている画像および第１対象物に類似している特徴を有している第２対象物の予め格納されている画像を含んでいる。
【００２９】
モバイル端末は、クラウドサーバから、第１および第２対象物の予め格納されている画像を得ることができるということに留意すべきである。予め定義されている条件は、少なくとも下記の１つを含むことができる。
第１対象物の画像情報の、予め格納されている画像との類似性の程度は、第１所定の類似性の程度より高いことを示している条件。
第１対象物のプロファイル情報の、予め格納されている情報との類似性の程度は、第２所定の類似性の程度より高いことを示す条件。および
第１対象物のプロファイル情報の、予め格納されている情報との相関の程度度は、第３類似性の程度よりも高いことを示している条件。
【００３０】
オプションとしての例においては、モバイル端末は、第１対象物の画像情報を得て、第１対象物の取得された画像情報をクラウドサーバに送信する。クラウドサーバは、第１対象物の画像情報を、複数の予め格納されている画像と比較し、それに対する類似性の程度を決定し、そして、類似性の程度が、第１所定の類似性の程度よりも高い、予め格納されている画像は何れも選択してモバイル端末に送る。
【００３１】
他のオプションとしての例においては、モバイル端末は、第１対象物の画像情報を得て、第１対象物の取得された画像情報をクラウドサーバに送信する。クラウドサーバは、画像情報に基づいて第１対象物のプロファイル情報（例えば、名前、ＩＤカード番号）を決定し、第１対象物のプロファイル情報を、予め格納されているプロファイル情報と比較する。プロファイル類似性の程度は、比較により決定され、プロファイル類似性の程度が第２類似性の程度より高い、予め格納されているプロファイル情報は何れも選択される。引き続いて、予め格納されている画像が、選択された予め格納されているプロファイル情報に基づいて得られ、モバイル端末に送信される。双子または他の多胎児は、名前またはＩＤカード番号において類似する傾向があるので、このアプローチは、彼らが双子または多胎児であるというそのような第１対象物との関係を有する第２対象物の予め格納されている画像を効果的に識別できるということに留意すべきである。
【００３２】
更なる他のオプションとしての例においては、モバイル端末は、第１対象物の画像情報を得て、第１対象物の取得された画像情報をクラウドサーバに送信する。クラウドサーバは、第１対象物のプロファイル情報（例えば、名前、ＩＤ文書番号、世帯登録情報）を、その画像情報に基づいて決定し、第１対象物のプロファイル情報を、予め格納されているプロファイル情報と比較する。プロファイル相関の程度は比較により決定され、プロファイル相関の程度が第３類似性の程度よりも高い、予め格納されているプロファイル情報は何れも選択される。引き続いて、予め格納されている画像が、選択された予め格納されているプロファイル情報に基づいて得られ、モバイル端末に送信される。両親および彼らの子供は、名前、ＩＤカード番号、および世帯登録情報において相関がある傾向があるので、このアプローチは、第１対象物にそのように相関している第２対象物の予め格納されている画像を効果的に識別できるということに留意すべきである。
【００３３】
更に、前述の３つのアプローチは互いに任意に組み合わせることができ、または、ここにおいては言及されていない他の可能なアプローチと組み合わせることができるということも留意すべきであり、その詳細な記述はここにおいては省略する。
【００３４】
ステップＳ１０６、比較結果に基づいて、第１対象物が検証をパスするかどうかを決定する。
【００３５】
オプションとしての例においては、モバイル端末は、比較により、第１対象物の画像情報と、第１対象物の予め格納されている画像との間の類似性を表わしている第１類似性値と、第１対象物の画像情報と第２対象物の予め格納されている画像との間の類似性を表わしている第２類似性値を得ることができ、第１および第２類似性値に基づいて、第１対象物が検証をパスするかどうかを決定する。オプションとして、第１類似性値が第２類似性値よりも大きい場合、第１対象物は検証をパスすると決定され、従って、第１対象物は、支払を完了することが可能となる。第１類似性値が第２類似性値より小さい場合、第１対象物は検証に失敗すると決定される。この場合、モバイル端末はユーザに、失敗と、パスワードを入力することにより支払を完了する可能性について通知することができる。
【００３６】
ステップＳ１０２からＳ１０６に基づいて、第１対象物の画像情報が取得された後、比較結果が、第１対象物の得られた画像情報を、予め定義されている条件を満足する画像と比較することにより得られ、比較結果に基づいて、第１対象物が検証をパスするかどうかが決定される。予め定義されている条件を満足する画像は、類似の特徴を有している第１および第２対象物の予め格納されている画像を含んでいる。
【００３７】
本出願は、検証される対象物を、類似の特徴を有している他の対象物から区別することを目的としているということは容易に認識されるであろう。このプロセスにおいて、検証される対象物の画像情報は、それ自身の予め格納されている画像とも比較される。検証される対象物の、それ自身の予め格納されている画像との類似性は、如何なる他の対象物との類似性よりも高いので、本出願において提案される方法は、類似の特徴を有する対象物を効果的に区別でき、そのため、削減された顔誤認識率および、より高い情報セキュリティを達成できる。
【００３８】
従って、本出願の上記の実施形態は、従来の顔認識技術における低精度問題を解決する。
【００３９】
第１対象物の取得された画像情報を、予め定義されている条件を満足する画像と比較することによる比較結果をモバイル端末により得ることは、
ステップＳ１０４０、第１類似性値を得るために、第１対象物の取得された画像情報と、第１対象物の予め格納されている画像との間の類似性を計算することと、および
ステップＳ１０４２、第２類似性値を得るために、第１対象物の取得された画像情報と、第１対象物の予め格納されている画像との間の類似性を計算することを含むことができるということに留意すべきである。
【００４０】
第１類似性値は、第１対象物の自己類似性を表わし、第２類似性値は、第１対象物と第２対象物との間の類似性を表わしているということに留意すべきである。
【００４１】
オプションとしての例においては、第１対象物の画像情報が取得された後、モバイル端末は、画像情報をクラウドサーバに送信できる。クラウドサーバは、この画像情報に基づいて、第１対象物の予め格納されている画像と、第１対象物に類似している特徴を有している第２対象物の予め格納されている画像を得る。そのような第２対象物は多数あることがあり得る。そこでクラウドサーバは、第１および第２対象物の予め格納されている画像をモバイル端末に送る。モバイル端末は、第１および第２対象物の予め格納されている画像を受信した後に、第１および第２類似性値を計算する。
【００４２】
更に、第１および第２類似性値を得た後、モバイル端末は、比較結果に基づいて、第１対象物が検証をパスするかどうかを決定する。具体的には、モバイル端末は、第１類似性値を第２類似性値と比較できる。第１類似性値が第２類似性値以上の場合、第１対象物は検証をパスすると決定される。第１類似性値が第２類似性値より小さい場合、第１対象物は検証に失敗すると見なされる。オプションとして、第１対象物が検証をパスした場合、第１対象物は、モバイル端末を介して支払を完了することが可能とされる。第１対象物が検証に失敗した場合、モバイル端末は、第１対象物に失敗および他の試みの可能性を通知できる。検証が続けて３回失敗すると、モバイル端末は、第１対象物に失敗およびパスワードを入力することにより支払を完了する可能性を通知できる。第１対象物が正しいパスワードを入力することを３回続けて失敗した場合、モバイル端末は支払機能をロックできる。
【００４３】
オプションとしての例においては、第１対象物の予め格納されている画像が、異なる時間に取得された複数の第１サブ画像を含んでいる場合、第１類似性値は、下記の何れかの方法で、第１対象物の取得された画像情報と第１対象物の予め格納されている画像との間の類似性を計算することにより得ることができる。
１．複数の第１サブ類似性値を得るために、第１対象物の画像情報と第１サブ画像のそれぞれとの間の類似性を計算することと、複数の第１サブ類似性値の平均値を第１類似性値として計算すること、
２．複数の第１サブ類似性値を得るために、第１対象物の画像情報と第１サブ画像のそれぞれとの間の類似性を計算することと、複数の第１サブ類似性値の最大値を第１類似性値として選択すること、
３．複数の第１サブ類似性値を得るために、第１対象物の画像情報と第１サブ画像のそれぞれとの間の類似性を計算することと、複数の第１サブ類似性値の最大分散を第１類似性値として計算すること、
４．複数の第１サブ類似性値を得るために、第１対象物の画像情報と第１サブ画像のそれぞれとの間の類似性を計算することと、複数の第１サブ類似性値の最小値を第１類似性値として選択すること、および
５．複数の第１サブ類似性値を得るために、第１対象物の画像情報と第１サブ画像のそれぞれとの間の類似性を計算することと、複数の第１サブ類似性値の最小分散を第１類似性値として計算すること。
【００４４】
オプションとして、第１対象物の複数の第１サブ画像は、第１対象物が１８才のときに撮影された第１対象物のＩＤ写真や、第１対象物が２０才のときに撮影された第１対象物のパスポートの写真などのように、異なる時間に取得されていてもよい。異なる時間に取得された第１サブ画像を得るときは、モバイル端末は、それらを局所的に格納でき、または、クラウドサーバにアップロードできる。そのため、第１対象物が、後日、モバイル端末上で支払機能を起動したとき、または支払ソフトウェアアプリケーションを立ち上げたときに、モバイル端末は、リアルタイムで第１対象物の画像情報を取得でき、取得された画像情報を第１サブ画像と比較することにより第１サブ類似性値を得ることができ、複数の第１サブ類似性値の平均値、最大値、最大分散、最小値、または最小分散を第１類似性値とすることができる。
【００４５】
同様に、異なる時間に取得された複数の第２サブ画像を含んでいる第２対象物の予め格納されている画像の場合は、第２類似性値は、下記の方法の何れかで方法で、第１対象物の取得された画像情報と第２対象物の予め格納されている画像との間の類似性を計算することにより得ることができる。
１．複数の第２サブ類似性値を得るために、第１対象物の画像情報と第２サブ画像のそれぞれとの間の類似性を計算することと、複数の第２サブ類似性値の平均値を第２類似性値として計算すること、
２．複数の第２サブ類似性値を得るために、第１対象物の画像情報と第２サブ画像のそれぞれとの間の類似性を計算することと、複数の第２サブ類似性値の最大値を第２類似性値として選択すること、
３．複数の第２サブ類似性値を得るために、第１対象物の画像情報と第２サブ画像のそれぞれとの間の類似性を計算することと、複数の第２サブ類似性値の最大分散を第２類似性値として計算すること、
４．複数の第２サブ類似性値を得るために、第１対象物の画像情報と第２サブ画像のそれぞれとの間の類似性を計算することと、複数の第２サブ類似性値の最小値を第２類似性値として選択すること、および
５．複数の第２サブ類似性値を得るために、第１対象物の画像情報と第２サブ画像のそれぞれとの間の類似性を計算することと、複数の第２サブ類似性値の最小分散を第２類似性値として計算すること。
【００４６】
第１対象物の画像情報および第２対象物の予め格納されている画像に従って第２類似性値を得ることは、第１対象物の画像情報および第１対象物の予め格納されている画像に従って第１類似性値を得ることに類似しているということに留意すべきであり、更なる詳細な記述はここにおいては省略する。
【００４７】
更に、類似の特徴を有している何れかの他の対象物があるかを調べることにより、任意の第１対象物を検証することは、モバイル端末またはクラウドサーバの演算負担を増大するということにも留意すべきである。これを回避するために、画像情報を取得する前に、第１対象物が誤認識される可能性のある対象物かどうかを決定できる。第１対象物が誤認識される可能性のある対象物かどうかを決定することは、
ステップＳ２０２、第１対象物のアイデンティティを検証するための検証要求を受信することと、
ステップＳ２０４、検証要求が出されている第１対象物が、その識別結果が正しい結果から逸脱している、誤認識される可能性のある対象物かどうかを決定することと、
ステップＳ２０６、第１対象物が誤認識される可能性のある対象物である場合、第１対象物の画像情報を取得するステップと、取得された画像情報を、予め定義されている条件を満足する画像と比較することを誘発することと、
ステップＳ２０８、第１対象物が誤認識される可能性のある対象物でない場合、第１対象物の画像情報を得るステップと、第１対象物が検証をパスするかどうかを決定するために、取得された画像情報を、第１対象物の予め格納されている画像と比較するステップを誘発することを含むことができる。
【００４８】
オプションとしての例においては、ショッピングソフトウェアアプリケーションを介して製品を購入することを所望している第１対象物が支払ボタンをクリックすると、ショッピングソフトウェアアプリケーションは検証要求を、モバイル端末上で立ち上がっている支払ソフトウェアアプリケーションに送ることができる。検証要求は、第１対象物の個人情報を含むことができる（例えば、名前、ＩＤカード番号、および他の情報）。検証要求を受信すると、支払ソフトウェアアプリケーションは、そこに含まれている個人情報に基づいて、第１対象物は誤認識される可能性のある対象物かどうかを決定できる。例えば、第１対象物の名前およびＩＤカード番号に基づいて、支払ソフトウェアアプリケーションは、第１対象物には双子の兄弟または姉妹の何れかがいるかどうかを決定できる。双子の兄弟または姉妹がいる場合、第１対象物は、誤認識される可能性のある対象物として識別できる。そうでない場合、第１対象物は、誤認識される可能性のある対象物とは見なされない。
【００４９】
更に、第１対象物が誤認識される可能性のある対象物である場合、モバイル端末は、第１対象物に類似している特徴を有している、第２対象物の予め格納されている画像の何れも得ることができ、第１対象物の取得された画像情報の、第１および第２対象物の予め格納されている画像との比較結果に基づいて、第１対象物が検証をパスするかどうかを決定できる。第１対象物が誤認識される可能性のある対象物でない場合、モバイル端末は、第１対象物の予め格納されている画像を直接得ることができ、それを、第１対象物の取得された画像情報と比較できる。比較により得られた類似性の程度は、類似性閾値を比較できる。決定された類似性の程度が類似性閾値より大きい場合、第１対象物は検証に成功すると決定される。それ以外の場合、第１対象物は検証に失敗すると決定される。
【００５０】
オプションとしての例においては、第１対象物は誤認識される可能性のある対象物であると識別された場合は、第１対象物の画像情報を取得する前に、第１対象物の取得された画像情報を、予め定義されている条件を満足する画像と比較するステップを誘発するかどうかを決定できる。決定は、
ステップＳ２０６０、第１対象物と関連する、誤認識される可能性のレベルが閾値を超えるどうかを決定することと、
ステップＳ２０６２、誤認識される可能性のレベルが閾値未満である場合、検証要求を停止することと、および
ステップＳ２０６４、誤認識される可能性のレベルが閾値を超える場合、第１対象物に複数の行動を実行することを命令する複数の取得命令を発行することを含むことができる。
【００５１】
第１対象物と関連する、上記の誤認識される可能性のレベルは、類似の特徴を有している第１および第２対象物の間の類似性の程度のことであるということに留意すべきである。類似の特徴を有している第１および第２対象物の間の類似性の程度が高ければ高いほど、誤認識される可能性のレベルはより低くなる。具体的には、誤認識される可能性のレベルが閾値よりも低い場合、第１および第２対象物は互いに非常に類似しているおり、互いに区別できないことを示している。この場合、検証要求は停止できる。例えば、第１および対象物が互いに非常に類似しており、区別できない双子である場合、モバイル端末は第１対象物に、支払はパスワードを入力することにより完了できるということ示している通知を提供できる。誤認識される可能性のレベルが閾値を超える場合、第１および第２対象物を互いに区別するためのいくらかの可能性が依然としてあることを示している。この場合、テキスト、音声、または映像の形式の取得命令は、第１対象物の異なる角度での画像を取得するために発行できる。
【００５２】
更に、第１対象物の複数の第１画像情報は、複数の比較結果に取得でき、複数の比較結果は、第１画像情報それぞれを、予め定義されている条件を満足する画像と比較することにより得られるということにも留意すべきである。比較結果の中で同一の比較結果の数が所定の閾値を超える場合、第１対象物は検証をパスすると決定される。
【００５３】
追加的に、図２は、対象物検証方法に基づく顔認識製品の動作のフローチャートを示している。顔認識製品は、下記に制限されないが、顔認識ソフトウェアアプリケーションであることができる。図２から分かるように、顔認識製品は実質的に、下記の５つの層から構成されている。つまり、アクセス評価、利用可能性評価、構成、比較、および認証から構成されている。クライアントアプリケーション（例えば、モバイル端末上の支払クライアントアプリケーション）から顔認識が要求されると、顔認識製品の管理層は、上記の５つの層に進むために起動される。アクセス評価層は、アクセスの確立をチェックするように構成されている。例えば、アクセス評価層はアクセスを確立すべきかどうかを決定できる。利用可能性評価層は、利用可能性評価の装置との互換性をチェックするように構成されている。例えば、利用可能性評価層は、顔認識製品をＡｎｄｒｏｉｄ（アンドロイド）（登録商標）ＯＳで使用できるかどうかを決定できる。構成層は、顔認識製品のパラメータを提供するように構成されている。比較層は、顔画像比較を実行するように構成されている。認証層は、顔認識により検証されている対象物が、どのようにして認証されたものとして検証されるかを決定するように構成されている。
【００５４】
本出願は、比較および認証層における改良を主に目的としているということに留意すべきである。図３は、好適な実施形態に係る対象物検証方法のフローチャートを示している。具体的には、ユーザが購入に対する支払を完了したいと所望すると、ユーザは、ユーザの個人情報を含んでいる顔認識要求をモバイル端末により提起できる。モバイル端末は、顔認識要求における個人情報に基づいて、ユーザが誤認識される可能性のある対象物であるかどうかを決定できる。ユーザが誤認識される可能性のある対象物であると決定されない場合は、モバイル端末は、ユーザの画像を予め格納されている画像と比較でき、その間の類似性の程度を決定できる。類似性の程度が閾値より高いときは、関連する動作（例えば、支払の完了）が実行される。それ以外の場合は、そのような動作は誘発されない。ユーザが誤認識される可能性のある対象物として決定された場合は、モバイル端末は、ユーザは誤認識される可能性が高い対象物であるかどうかを更に決定できる。ユーザが、誤認識される可能性が高い対象物であると決定された場合、モバイル端末は、ユーザが顔認識を通して支払を完了することを拒否でき、ユーザに、パスワードを入力することによる支払の完了の可能性と共に、支払いおける失敗を通知できる。ユーザは、誤認識される可能性が高い対象物ではないと決定された場合、モバイル端末は、ユーザの画像情報を、ユーザの予め格納されている画像（例えば、ＩＤカード上の写真）および、類似の特徴を有する如何なる他のユーザの予め格納されている画像それぞれと比較でき、それぞれの比較から、類似性の程度の２つのセットを決定できる。そして、（例えば、下記に制限されないが、平均値、最大値、最小値、最大分散、最小分散などに基づいて）個人比較が、支払は可能とされるかどうかを決定するために行うことができる。
【００５５】
上記から分かるように、本出願において提供される対象物検証方法は多数の比較を行うことを含んでおり、それにより、削減された顔誤認識率を可能にして、改良された情報セキュリティという結果になる。
【００５６】
上記の方法の実施形態のそれぞれは、記述を容易にするために、あるシーケンスにおいて実行される行動の組み合わせとして記述されてきたが、当業者は、本出願によれは、幾つかのステップは、異なる順序または同時に実行できるので、本出願は、記述されたシーケンスに制限されないということを認識するであろうということに留意すべきである。更に、当業者は、ここにおいて記述される実施形態は好適な実施形態であり、そこに含まれている行動およびモジュールは、本出願に対して必ずしも要求されないということも認識するであろう。
【００５７】
上記の実施形態の記述から、当業者には、上記の実施形態にかかわる対象物検証方法は、ソフトウェアと、実質的に一般的なハードウェアプラットフォームとの組み合せにより実現できるということは明白である。もちろん、この対象物検証方法はハードウェアによっても実現できるが、ほとんどの場合、前者がより好適である。このことを踏まえると、本出願の主題はそれ自体、または、その一部は従来技術に対してより利点があり、ソフトウェア製品として具現化できる。ソフトウェア製品は、格納媒体（例えば、ＲＯＭ／ＲＡＭ、磁気ディスク、またはＣＤ−ＲＯＭ）に格納でき、端末装置（モバイルフォン、コンピュータ、サーバ、またはネットワークアプライアンスであってよい）に、本出願の実施形態に係る方法を実行させる多数の命令を含んでいる。
第２実施形態
【００５８】
本出願の実施形態においては、上記に定義されたような対象物検証方法を実行するための装置が更に提供される。図４に示されているように、装置Ｂは、取得モジュール４０１、比較モジュール４０３、および決定モジュール４０５を含んでいる。
【００５９】
取得モジュール４０１は、第１対象物の画像情報を取得するように構成されている。比較モジュール４０３は、比較結果を得るために、第１対象物の取得された画像情報を、予め定義されている条件を満足する画像と比較するように構成されている。予め定義されている条件を満足する画像は、第１対象物の予め格納されている画像と、第１対象物に類似している特徴を有している第２対象物の予め格納されている画像を含んでいる。決定モジュール４０５は、比較結果に基づいて、第１対象物が検証をパスするかどうかを決定するように構成されている。
【００６０】
ここで、取得モジュール４０１、比較モジュール４０３、および決定モジュール４０５は、下記に制限されないが、適用例およびシナリオにおいて、第１実施形態におけるステップＳ１０２からＳ１０６のそれぞれに対応しているということに留意すべきである。これらのモジュールのそれぞれは、第１実施形態のモバイル端末において、装置の一部として動作できるということに留意すべきである。
【００６１】
オプションとしての例においては、比較モジュールは、第１処理モジュールおよび第２処理モジュールを含むことができる。追加的に、第１処理モジュールは、第１類似性値を取得するために、第１対象物の取得された画像情報と、第１対象物の予め格納されている画像との間の類似性を計算するように構成されており、第２処理モジュールは、第２類似性値を取得するために、第１対象物の取得された画像情報と、第２対象物の予め格納されている画像との間の類似性を計算するように構成されている。第１類似性値は、第１対象物の自己類似性を表わしており、第２類似性値は、第１対象物の第２対象物に対する類似性を表わしている。
【００６２】
ここにおいて、第１および第２処理モジュールは、下記に制限されないが、適用例およびシナリオにおいて第１実施形態におけるステップＳ１０４０からＳ１０４２のそれぞれに対応しているということに留意すべきである。これらのモジュールのそれぞれは、第１実施形態のモバイル端末において、装置の一部として動作できるということに留意すべきである。
【００６３】
オプションとしての例においては、決定モジュールは、第１比較モジュール、第３処理モジュール、および第４処理モジュールを含むことができる。第１比較モジュールは、第１類似性値を、第２類似性値と比較するように構成されている。第３処理モジュールは、第１類似性値が第２類似性値以上の場合、第１対象物は検証をパスすると決定するように構成されている。第４処理モジュールは、第１類似性値が第２類似性値より小さい場合、第１対象物は検証に失敗すると決定するように構成されている。
【００６４】
オプションとしての例においては、第１対象物の予め格納されている画像が、異なる時間に取得された複数の第１サブ画像を備えている場合は、第１対象物の取得された画像情報と、第１対象物の予め格納されている画像との間の類似性を計算することにより第１類似性値を得ることは、複数の第１サブ類似性値を得るために、第１対象物の画像情報と、第１サブ画像のそれぞれとの間の類似性を計算することと、および複数の第１サブ類似性値の平均値を第１類似性値として計算すること、または、複数の第１サブ類似性値を得るために、第１対象物の画像情報と、第１サブ画像のそれぞれとの間の類似性を計算することと、および複数の第１サブ類似性値の最大値を第１類似性値として選択すること、または、複数の第１サブ類似性値を得るために、第１対象物の画像情報と、第１サブ画像のそれぞれとの間の類似性を計算することと、および複数の第１サブ類似性値の最大分散を第１類似性値として計算すること、または、複数の第１サブ類似性値を得るために、第１対象物の画像情報と、第１サブ画像のそれぞれとの間の類似性を計算することと、および複数の第１サブ類似性値の最小値を第１類似性値として選択すること、または、複数の第１サブ類似性値を得るために、第１対象物の画像情報と、第１サブ画像のそれぞれとの間の類似性を計算することと、および複数の第１サブ類似性値の最小分散を第１類似性値として計算することを含むことができる。
【００６５】
オプションとしての例においては、第２対象物の予め格納されている画像が、異なる時間に取得された複数の第２サブ画像を備えている場合は、第１対象物の取得された画像情報と、第２対象物の予め格納されている画像との間の類似性を計算することにより第２類似性値を得ることは、複数の第２サブ類似性値を得るために、第１対象物の画像情報と、第２サブ画像のそれぞれとの間の類似性を計算することと、および複数の第２サブ類似性値の平均値を第２類似性値として計算すること、または、複数の第２サブ類似性値を得るために、第１対象物の画像情報と、第２サブ画像のそれぞれとの間の類似性を計算することと、および複数の第２サブ類似性値の最大値を第２類似性値として選択すること、または、複数の第２サブ類似性値を得るために、第１対象物の画像情報と、第２サブ画像のそれぞれとの間の類似性を計算することと、および複数の第２サブ類似性値の最大分散を第２類似性値として計算すること、または、複数の第２サブ類似性値を得るために、第１対象物の画像情報と、第２サブ画像のそれぞれとの間の類似性を計算することと、および複数の第２サブ類似性値の最小値を第２類似性値として選択すること、または、複数の第２サブ類似性値を得るために、第１対象物の画像情報と、第２サブ画像のそれぞれとの間の類似性を計算することと、および複数の第２サブ類似性値の最小分散を第２類似性値として計算することを含むことができる。
【００６６】
オプションとしての例においては、対象物検証装置は、受信モジュール、第１決定モジュール、第１トリガモジュール、および第２トリガモジュールを更に含むことができる。受信モジュールは、第１対象物のアイデンティティを検証するための検証要求を受信するように構成されている。第１決定モジュールは、検証要求が出されている第１対象物が、識別結果が正しい結果から逸脱する、誤認識される可能性のある対象物であるかどうかを決定するように構成されている。第１トリガモジュールは、第１対象物が誤認識される可能性のある対象物である場合、第１対象物の画像情報を取得するステップと、取得された画像情報を、予め定義されている条件を満足する画像と比較するステップを誘発するように構成されている。第２トリガモジュールは、第１対象物が誤認識される可能性のある対象物ではない場合、第１対象物の画像情報を取得するステップと、取得された画像情報を、第１対象物の予め格納されている画像と比較することにより、第１対象物が検証をパスするかどうかを決定するステップを誘発するように構成されている。
【００６７】
ここで、受信モジュール、第１決定モジュール、第１トリガモジュール、および第２トリガモジュールは、下記に制限されないが、適用例およびシナリオにおいて、第１実施形態におけるステップＳ２０２からＳ２０８のそれぞれに対応しているということに留意すべきである。これらのモジュールのそれぞれは、第１実施形態のモバイル端末において、装置の一部として動作できるということに留意すべきである。
【００６８】
オプションとしての例においては、対象物検証装置は、第２決定モジュール、第５処理モジュール、および第６処理モジュールを更に含むことができる。第２決定モジュールは、第１対象物に関連する、誤認識される可能性のレベルが閾値を超えるかどうかを決定するように構成されている。第５処理モジュールは、誤認識される可能性のレベルが閾値を超える場合、検証要求を停止するように構成されている。第６処理モジュールは、誤認識される可能性のレベルが閾値より低い場合、第１対象物に複数の行動の実行を命令する、複数の取得命令を発行するように構成されている。
【００６９】
ここで、第２決定モジュール、第５処理モジュール、および第６処理モジュールは、下記に制限されないが、適用例およびシナリオにおいて、第１実施形態におけるステップＳ２０６０からＳ２０６４のそれぞれに対応しているということに留意すべきである。これらのモジュールのそれぞれは、第１実施形態のモバイル端末において、装置の一部として動作できるということに留意すべきである。
【００７０】
オプションとしての例においては、複数の取得命令は、第１対象物の複数の第１画像情報の取得を誘発でき、第１画像情報のそれぞれを、予め定義されている条件を満足する画像と比較することにより、複数の比較結果を得ることができる。複数の比較結果の中で同一の比較結果の数が所定の閾値を超える場合、第１対象物は検証をパスすると決定できる。
第３実施形態
【００７１】
本出願の実施形態においては、対象物検証システムが更に提供される。対象物検証システムは、第１実施形態の対象物検証方法を実行できる。具体的には、システムは、プロセッサ、およびプロセッサに接続されているメモリを含んでいる。メモリはプロセッサに、下記の、第１対象物の画像情報を取得するステップと、比較結果を得るために、第１対象物の取得された画像情報を、第１対象物の予め格納されている画像と第１対象物に類似している特徴を有している第２対象物の予め格納されている画像を含んでいる、予め定義されている条件を満足する画像と比較するステップと、比較結果に基づいて、第１対象物が検証をパスするかどうかを決定するステップを実行するための命令を提供するように構成されている。
【００７２】
上記の記述から分かるように、第１対象物の画像が取得された後に、第１対象物の取得された画像情報は、予め定義されている条件を満足する画像と比較され、比較結果に基づいて、第１対象物が検証をパスするかどうかが決定される。予め定義されている条件を満足する画像は、第１対象物および、類似の特徴を有している第２対象物の予め格納されている画像を含んでいる。
【００７３】
本出願は、検証される対象物を、類似の特徴を有している他の対象物から区別することを目的としているということは容易に理解されよう。このプロセスにおいては、検証される対象物の画像情報は、それ自身の予め格納されている画像とも比較される。検証される対象物の画像情報の、それ自身の予め格納されている画像との類似性は、如何なる他の対象物との類似性よりも高いので、本出願において提案される方法は、類似の特徴を有する対象物間を効果的に区別でき、そのため、削減された顔誤認識率および、より高い情報セキュリティを達成できる。
【００７４】
従って、本出願の上記の実施形態は、従来の顔認識技術における低精度問題を解決する。
【００７５】
オプションとしての例においては、プロセッサは、第１類似性値を取得するために、第１対象物の取得された画像情報と、第１対象物の予め格納されている画像との間の類似性を計算し、第２類似性値を取得するために、第１対象物の取得された画像情報と、第２対象物の予め格納されている画像との間の類似性を計算し、第１類似性値を第２類似性値と比較し、第１類似性値が第２類似性値以上の場合は、第１対象物は検証をパスすると決定し、第１類似性値が第２類似性値より小さい場合は、第１対象物は検証に失敗すると決定するように構成されている。第１類似性値は、第１対象物の自己類似性を表わし、一方、第２類似性値は、第１対象物の第２対象物に対する類似性を表わしている。
【００７６】
オプションとして、第１対象物の予め格納されている画像が、異なる時間に取得された複数の第１サブ画像を備えている場合は、第１類似性値は、下記の、複数の第１サブ類似性値を得るために、第１対象物の画像情報と、第１サブ画像のそれぞれとの間の類似性を計算し、および複数の第１サブ類似性値の平均値を第１類似性値として計算する方法、または、複数の第１サブ類似性値を得るために、第１対象物の画像情報と、第１サブ画像のそれぞれとの間の類似性を計算し、および複数の第１サブ類似性値の最大値を第１類似性値として選択する方法、または、複数の第１サブ類似性値を得るために、第１対象物の画像情報と、第１サブ画像のそれぞれとの間の類似性を計算し、および複数の第１サブ類似性値の最大分散を第１類似性値として計算する方法、または、複数の第１サブ類似性値を得るために、第１対象物の画像情報と、第１サブ画像のそれぞれとの間の類似性を計算し、および複数の第１サブ類似性値の最小値を第１類似性値として選択する方法、または、複数の第１サブ類似性値を得るために、第１対象物の画像情報と、第１サブ画像のそれぞれとの間の類似性を計算し、および複数の第１サブ類似性値の最小分散を第１類似性値として計算する方法の何れかの方法で、第１対象物の取得された画像情報と、第１対象物の予め格納されている画像との間の類似性を計算することにより得ることができる。
【００７７】
オプションとして、第２対象物の予め格納されている画像が、異なる時間に取得された複数の第２サブ画像を備えている場合は、第２類似性値は、下記の、複数の第２サブ類似性値を得るために、第１対象物の画像情報と、第２サブ画像のそれぞれとの間の類似性を計算し、および複数の第２サブ類似性値の平均値を第２類似性値として計算する方法、または、複数の第２サブ類似性値を得るために、第１対象物の画像情報と、第２サブ画像のそれぞれとの間の類似性を計算し、および複数の第２サブ類似性値の最大値を第２類似性値として選択する方法、または、複数の第２サブ類似性値を得るために、第１対象物の画像情報と、第２サブ画像のそれぞれとの間の類似性を計算し、および複数の第２サブ類似性値の最大分散を第２類似性値として計算する方法、または、複数の第２サブ類似性値を得るために、第１対象物の画像情報と、第２サブ画像のそれぞれとの間の類似性を計算し、および複数の第２サブ類似性値の最小値を第１類似性値として選択する方法、または、複数の第２サブ類似性値を得るために、第１対象物の画像情報と、第２サブ画像のそれぞれとの間の類似性を計算し、および複数の第２サブ類似性値の最小分散を第２類似性値として計算する方法の何れかの方法で、第１対象物の取得された画像情報と、第２対象物の予め格納されている画像との間の類似性を計算することにより得ることができる。
【００７８】
オプションとしての例においては、第１対象物の画像情報を取得する前に、プロセッサを、検証要求を受信し、検証要求が出されている第１対象物が、誤認識される可能性のある対象物かどうかを決定し、第１対象物が、誤認識される可能性のある対象物である場合、第１対象物の画像情報を取得するステップと、取得された画像情報を、予め定義されている条件を満足する画像と比較するステップを誘発し、第１対象物が、誤認識される可能性のある対象物でない場合、第１対象物の画像情報を取得し、取得された画像情報を、第１対象物の予め格納されている画像と比較することにより、第１対象物が検証をパスするかどうかを決定するステップを誘発するように構成できる。検証要求は、第１対象物のアイデンティティを検証するためであり、誤認識される可能性のある対象物は、その識別結果が正しい結果から逸脱している対象物であるということに留意すべきである。
【００７９】
オプションとしての例においては、第１対象物が誤認識される可能性のある対象物である場合は、第１対象物の画像情報を取得する前に、プロセッサを、第１対象物に関連する、誤認識される可能性のレベルが閾値を超えるかどうかを決定し、誤認識される可能性のレベルが閾値を超える場合、検証要求を停止し、誤認識される可能性のレベルが閾値よりも低い場合、第１対象物に複数の行動を実行させるように命令する複数の取得命令を発行するように構成できる。
【００８０】
プロセッサを、複数の取得命令が、第１対象物の複数の第１画像情報の取得を誘発し、第１画像情報のそれぞれを、予め定義されている条件を満足する画像と比較することにより、複数の比較結果が得られるように構成できるということに留意すべきである。加えて、複数の比較結果の中で同一の比較結果の数が所定の閾値を超える場合、第１対象物は検証をパスすると決定できる。
第４実施形態
【００８１】
本出願の実施形態においては、モバイル装置が更に提供される。モバイル装置は、コンピュータ端末グループにおける任意のコンピュータ端末として実現できる。オプションとして、この実施形態においては、コンピュータ端末は、モバイル端末のような任意の他の適切な端末装置と置き換えることができる。
【００８２】
オプションとして、この実施形態においては、コンピュータ端末は、コンピュータネットワークにおける複数のネットワーク装置の少なくとも１つに配置できる。
【００８３】
図５は、コンピュータ端末のハードウェアアーキテクチャを示しているブロック図である。図５に示されているように、コンピュータ端末Ａは、１つ以上のプロセッサ５０２（５０２ａ、５０２ｂ、．．．、５０２ｎとして示されている）（各プロセッサ５０２は、下記に制限されないが、マイクロプロセッサ（例えば、ＭＣＵ）またはプログラマブル論理装置（例えば、ＦＰＧＡ）などのような処理構成要素を含むことができる）、データを格納するためのメモリ５０４、および通信のための送信装置５０６を含むことができる。追加的に、コンピュータ端末Ａはまた、ディスプレイ、入／出力（Ｉ／Ｏ）インタフェース、ユニバーサルシリアルバス（ＵＳＢ）ポート（Ｉ／Ｏインタフェースの一部として含めることができる）、ネットワークインタフェース、電力供給源、および／またはカメラも含むことができる。この技術における当業者は、図５に示されているアーキテクチャは例に過ぎず、如何なる意味においても電子装置の構造を制限しないということを認識するであろう。例えば、コンピュータ端末Ａは、図５に示されているものよりもより多くの、または、より少ない構成要素を有することができ、または、図５に示されているものとは異なる構成を有することができる。
【００８４】
１以上のプロセッサ５０２および／または他のデータ処理回路は、ここにおいては全体として「データ処理回路」と称することができるということに留意すべきである。このデータ処理回路は、その全体または一部を、ソフトウェア、ファームウェア、ハードウェア、またはそれらの任意の組み合わせとして具現化できる。追加的に、データ処理回路は、別個の処理モジュールとして具現化でき、または、その全体または一部を、コンピュータ端末の任意の他の構成要素に統合できる。本出願の実施形態において教示されているように、データ処理回路は、プロセッサ制御装置としての役割を果たす（例えば、インタフェースに接続されている可変抵抗端末パス）。
【００８５】
プロセッサ５０２は、送信装置を介して、第１対象物の画像情報を取得するステップと、比較結果を得るために、第１対象物の取得された画像情報を、第１対象物の予め格納されている画像と第１対象物に類似している特徴を有している第２対象物の予め格納されている画像を含んでいる、予め定義されている条件を満足する画像と比較するステップと、比較結果に基づいて、第１対象物が検証をパスするかどうかを決定するステップを実行するために、メモリに格納されている情報およびアプリケーションプログラムを呼び出すことができる。
【００８６】
メモリ５０４は、本出願の実施形態と一致している対象物検証方法に対応するプログラムの命令／データなどのようなアプリケーションソフトウェアのためのプログラムおよびモジュールを格納するために使用できる。プロセッサ５０２は、メモリ５０４に格納されているソフトウェアプログラムおよびモジュールを立ち上げることにより、種々の機能を実行し、種々のデータを処理する（つまり、上記に定義されたような対象物検証方法を実現する）。メモリ５０４は高速ランダムアクセスメモリを含むことができ、１つ以上の磁気ディスクメモリ装置、フラッシュメモリまたは他の不揮発性ソリッドステートメモリ装置などのような不揮発性メモリを含むことができる。幾つかの例においては、メモリ５０４は、ネットワークを介してコンピュータ端末Ａに接続できる、プロセッサ５０２から離れて位置しているメモリ装置を更に含むことができる。ネットワークの例としては、下記に制限されないが、インターネット、企業イントラネット、ローカルエリアネットワーク、移動通信ネットワーク、およびそれらの組み合せがある。
【００８７】
送信装置５０６は、ネットワークを介してデータを受信または送信するように構成されている。ネットワークの特別な例としては、コンピュータ端末Ａの通信サービスプロバイダにより提供される無線ネットワークを挙げることができる。１つの例においては、送信装置５０６は、基地局を介して他のネットワーク装置に接続でき、そのため、インターネットと通信可能なネットワークインタフェースコントローラ（ＮＩＣ）を含んでいる。１つの例においては、送信装置５０６は、無線の方法でインターネットと通信するように構成されている無線周波数（ＲＦ）モジュールであってよい。
【００８８】
ディスプレイは、例えば、ユーザがコンピュータ端末Ａのユーザインタフェースと相互作用することを可能にするタッチスクリーンを有している液晶ディスプレイ（ＬＣＤ）であってよい。
【００８９】
ここで、幾つかのオプションとしての実施形態においては、図５のコンピュータ端末Ａは、ハードウェア要素（回路を含む）、ソフトウェア構成要素（コンピュータ読取り可能媒体に格納されているコンピュータコードを含む）、またはそれらの組み合わせを含むことができるということに留意すべきである。図５に示されている例は、可能な特別な例の１つに過ぎず、コンピュータ端末Ａ内に存在することができる構成要素のタイプを提示することが意図されているということに留意すべきである。
【００９０】
この実施形態においては、コンピュータ端末Ａは、対象物検証方法における、第１類似性値を得るために、第１対象物の取得された画像情報と、第１対象物の予め格納されている画像との間の類似性を計算するステップと、第２類似性値を得るために、第１対象物の取得された画像情報と、第２対象物の予め格納されている画像との間の類似性を計算するステップを実行するためのアプリケーションプログラムコードを実行できる。第１類似性値は、第１対象物の自己類似性を表わし、第２類似性値は、第２対象物に対する第１対象物の類似性を表わしている。
【００９１】
この実施形態においては、コンピュータ端末Ａは、対象物検証方法における下記の、第１類似性値を第２類似性値と比較するステップと、第１類似性値が第２類似性値以上の場合、第１対象物は検証をパスすると決定するステップと、第１類似性値が第２類似性値よりも小さい場合、第１対象物は検証に失敗すると決定するステップを実行するためのアプリケーションプログラムコードを実行できる。
【００９２】
この実施形態においては、コンピュータ端末Ａは、対象物検証方法における下記のステップを実行するためのアプリケーションプログラムコードを実行でき、第１対象物の予め格納されている画像が、異なる時間に取得された複数の第１サブ画像を備えている場合は、第１類似性値を得るために、第１対象物の取得された画像情報と、第１対象物の予め格納されている画像との間の類似性を計算するステップは、複数の第１サブ類似性値を得るために、第１対象物の画像情報と、第１サブ画像のそれぞれとの間の類似性を計算することと、および複数の第１サブ類似性値の平均値を第１類似性値として計算すること、または、複数の第１サブ類似性値を得るために、第１対象物の画像情報と、第１サブ画像のそれぞれとの間の類似性を計算することと、および複数の第１サブ類似性値の最大値を第１類似性値として選択すること、または、複数の第１サブ類似性値を得るために、第１対象物の画像情報と、第１サブ画像のそれぞれとの間の類似性を計算することと、および複数の第１サブ類似性値の最大分散を第１類似性値として計算すること、または、複数の第１サブ類似性値を得るために、第１対象物の画像情報と、第１サブ画像のそれぞれとの間の類似性を計算することと、および複数の第１サブ類似性値の最小値を第１類似性値として選択すること、または、複数の第１サブ類似性値を得るために、第１対象物の画像情報と、第１サブ画像のそれぞれとの間の類似性を計算することと、および複数の第１サブ類似性値の最小分散を第１類似性値として計算することを含んでいる。
【００９３】
この実施形態においては、コンピュータ端末Ａは、対象物検証方法における下記のステップを実行するためのアプリケーションプログラムコードを実行でき、第２対象物の予め格納されている画像が、異なる時間に取得された複数の第２サブ画像を備えている場合は、第２類似性値を得るために、第１対象物の取得された画像情報と、第２対象物の予め格納されている画像との間の類似性を計算するステップは、複数の第２サブ類似性値を得るために、第１対象物の画像情報と、第２サブ画像のそれぞれとの間の類似性を計算することと、および複数の第２サブ類似性値の平均値を第２類似性値として計算すること、または、複数の第２サブ類似性値を得るために、第１対象物の画像情報と、第２サブ画像のそれぞれとの間の類似性を計算することと、および複数の第２サブ類似性値の最大値を第２類似性値として選択すること、または、複数の第２サブ類似性値を得るために、第１対象物の画像情報と、第２サブ画像のそれぞれとの間の類似性を計算することと、および複数の第２サブ類似性値の最大分散を第２類似性値として計算すること、または、複数の第２サブ類似性値を得るために、第１対象物の画像情報と、第２サブ画像のそれぞれとの間の類似性を計算することと、および複数の第２サブ類似性値の最小値を第２類似性値として選択すること、または、複数の第２サブ類似性値を得るために、第１対象物の画像情報と、第２サブ画像のそれぞれとの間の類似性を計算することと、および複数の第２サブ類似性値の最小分散を第２類似性値として計算することを含んでいる。
【００９４】
この実施形態においては、コンピュータ端末Ａは、対象物検証方法における下記の、第１対象物のアイデンティティを検証するための検証要求を受信するステップと、検証要求が出されている第１対象物が、その識別結果が正しい結果から逸脱する、誤認識される可能性のある対象物かどうかを決定するステップと、第１対象物が、誤認識される可能性のある対象物である場合、第１対象物の画像情報を取得するステップと、取得された画像情報を、予め定義されている条件を満足する画像と比較するステップを誘発するステップと、第１対象物が、誤認識される可能性のある対象物でない場合、第１対象物の画像情報を取得するステップと、取得された画像情報を、第１対象物の予め格納されている画像と比較することにより、第１対象物が検証をパスするかどうかを決定するステップを誘発するステップを実行するためのアプリケーションプログラムコードを実行できる。
【００９５】
この実施形態においては、コンピュータ端末Ａは、対象物検証方法における下記の、第１対象物に関連する、誤認識される可能性のレベルが閾値を超えるかどうかを決定するステップと、誤認識される可能性のレベルが閾値を超える場合、検証要求を停止するステップと、誤認識される可能性のレベルが閾値よりも低い場合、第１対象物に複数の行動を実行させるように命令する複数の取得命令を発行するステップを実行するためのアプリケーションプログラムコードを実行できる。
【００９６】
この実施形態においては、コンピュータ端末Ａは、対象物検証方法における下記の、複数の取得命令により、第１対象物の複数の第１画像情報の取得を誘発するステップと、複数の比較結果を得るために、第１画像情報のそれぞれを、予め定義されている条件を満足する画像と比較するステップを実行するためのアプリケーションプログラムコードを実行できる。複数の比較結果の中の同一の比較結果の数が所定の閾値を超える場合、第１対象物は検証をパスすると決定される。
【００９７】
この実施形態においては、コンピュータ端末Ａは、対象物検証方法における下記の、第１対象物の画像情報を取得するステップと、比較結果を得るために、第１対象物の取得された画像情報を、第１対象物の予め格納されている画像と第１対象物に類似している特徴を有している第２対象物の予め格納されている画像を含んでいる、予め定義されている条件を満足する画像と比較するステップと、比較結果に基づいて、第１対象物が検証をパスするかどうかを決定するステップを実行するためのアプリケーションプログラムコードを実行できる。
【００９８】
当業者は、図５に示されている構造は例に過ぎず、コンピュータ端末はまた、スマートフォン（例えば、Ａｎｄｒｏｉｄ（アンドロイド）（登録商標）フォン、ｉＯＳフォンなど）、タブレットコンピュータ、パームコンピュータ、モバイルインターネット装置（ＭＩＤ）、ＰＡＤ、または他の適切な端末装置であることができるということは認識するであろう。図５は、如何なる点においても、電子装置の構造を制限しない。例えば、コンピュータ端末Ａは、図５に示されている構成要素より、より多い、または、より少ない構成要素を有することができ、または、図５に示されている構成とは異なる構成を有することができる。
【００９９】
当業者は、前述の実施形態の種々の方法におけるステップのすべて、または幾つかをコンピュータ読取り可能格納媒体に格納できるプログラムを有している端末装置において、関連するハードウェアに指示を出すことにより実行できるということは認識するであろう。格納媒体の例としては、フラッシュメモリ、リードオンリメモリ（ＲＯＭ）装置、ランダムアクセスメモリ（ＲＡＭ）装置、磁気ディスク、光ディスクなどを挙げることができる。
第５実施形態
【０１００】
本出願の実施形態においては、格納媒体が更に提供される。オプションとして、この実施形態においては、格納媒体は、第１実施形態の対象物検証方法を実行するためのプログラムコードを格納するために使用できる。
【０１０１】
オプションとして、この実施形態においては、格納媒体は、コンピュータネットワークにおけるコンピュータ端末グループの任意のコンピュータ端末に配置でき、またはモバイル端末グループの任意のモバイル端末に配置できる。
【０１０２】
オプションとして、この実施形態においては、格納媒体は、第１対象物の画像情報を取得するステップと、比較結果を得るために、第１対象物の取得された画像情報を、第１対象物の予め格納されている画像と第１対象物に類似している特徴を有している第２対象物の予め格納されている画像を含んでいる、予め定義されている条件を満足する画像と比較するステップと、比較結果に基づいて、第１対象物が検証をパスするかどうかを決定するステップを実行するためのプログラムコードを格納するように構成できる。
【０１０３】
オプションとして、この実施形態においては、格納媒体は、第１類似性値を取得するために、第１対象物の取得された画像情報と、第１対象物の予め格納されている画像との間の類似性を計算するステップと、第２類似性値を取得するために、第１対象物の取得された画像情報と、第２対象物の予め格納されている画像との間の類似性を計算するステップを実行するためのプログラムコードを格納するように構成でき、ここにおいて、第１類似性値は、第１対象物の自己類似性を表わし、第２類似性値は、第１対象物の第２対象物に対する類似性を表わしている。
【０１０４】
オプションとして、この実施形態においては、格納媒体は、第１類似性値を第２類似性値と比較するステップと、第１類似性値が第２類似性値以上の場合、第１対象物は検証をパスすると決定するステップと、第１類似性値が第２類似性値よりも小さい場合、第１対象物は検証に失敗すると決定するステップを実行するためのプログラムコードを格納するように構成できる。
【０１０５】
オプションとして、この実施形態においては、格納媒体は、下記のステップを実行するためのプログラムコードを格納するように構成でき、第１対象物の予め格納されている画像が、異なる時間に取得された複数の第１サブ画像を備えている場合は、第１類似性値を得るために、第１対象物の取得された画像情報と、第１対象物の予め格納されている画像との間の類似性を計算するステップは、複数の第１サブ類似性値を得るために、第１対象物の画像情報と、第１サブ画像のそれぞれとの間の類似性を計算することと、および複数の第１サブ類似性値の平均値を第１類似性値として計算すること、または、複数の第１サブ類似性値を得るために、第１対象物の画像情報と、第１サブ画像のそれぞれとの間の類似性を計算することと、および複数の第１サブ類似性値の最大値を第１類似性値として選択すること、または、複数の第１サブ類似性値を得るために、第１対象物の画像情報と、第１サブ画像のそれぞれとの間の類似性を計算することと、および複数の第１サブ類似性値の最大分散を第１類似性値として計算すること、または、複数の第１サブ類似性値を得るために、第１対象物の画像情報と、第１サブ画像のそれぞれとの間の類似性を計算することと、および複数の第１サブ類似性値の最小値を第１類似性値として選択すること、または、複数の第１サブ類似性値を得るために、第１対象物の画像情報と、第１サブ画像のそれぞれとの間の類似性を計算することと、および複数の第１サブ類似性値の最小分散を第１類似性値として計算することを含んでいる。
【０１０６】
オプションとして、この実施形態においては、格納媒体は、下記のステップを実行するためのプログラムコードを格納するように構成でき、第２対象物の予め格納されている画像が、異なる時間に取得された複数の第２サブ画像を備えている場合は、第２類似性値を得るために、第１対象物の取得された画像情報と、第２対象物の予め格納されている画像との間の類似性を計算するステップは、複数の第２サブ類似性値を得るために、第１対象物の画像情報と、第２サブ画像のそれぞれとの間の類似性を計算することと、および複数の第２サブ類似性値の平均値を第２類似性値として計算すること、または、複数の第２サブ類似性値を得るために、第１対象物の画像情報と、第２サブ画像のそれぞれとの間の類似性を計算することと、および複数の第２サブ類似性値の最大値を第２類似性値として選択すること、または、複数の第２サブ類似性値を得るために、第１対象物の画像情報と、第２サブ画像のそれぞれとの間の類似性を計算することと、および複数の第２サブ類似性値の最大分散を第２類似性値として計算すること、または、複数の第２サブ類似性値を得るために、第１対象物の画像情報と、第２サブ画像のそれぞれとの間の類似性を計算することと、および複数の第２サブ類似性値の最小値を第２類似性値として選択すること、または、複数の第２サブ類似性値を得るために、第１対象物の画像情報と、第２サブ画像のそれぞれとの間の類似性を計算することと、および複数の第２サブ類似性値の最小分散を第２類似性値として計算することを含んでいる。
【０１０７】
オプションとして、この実施形態においては、格納媒体は下記の、第１対象物のアイデンティティを検証するための検証要求を受信するステップと、検証要求が出されている第１対象物が、その識別結果が正しい結果から逸脱する、誤認識される可能性のある対象物かどうかを決定するステップと、第１対象物が、誤認識される可能性のある対象物である場合、第１対象物の画像情報を取得するステップと、取得された画像情報を、予め定義されている条件を満足する画像と比較するステップを誘発するステップと、第１対象物が、誤認識される可能性のある対象物でない場合、第１対象物の画像情報を取得するステップと、取得された画像情報を、第１対象物の予め格納されている画像と比較することにより、第１対象物が検証をパスするかどうかを決定するステップを誘発するステップを実行するためのプログラムコードを格納するように構成できる。
【０１０８】
オプションとして、この実施形態においては、格納媒体は下記の、第１対象物に関連する、誤認識される可能性のレベルが閾値を超えるかどうかを決定するステップと、誤認識される可能性のレベルが閾値を超える場合、検証要求を停止するステップと、誤認識される可能性のレベルが閾値よりも低い場合、第１対象物に複数の行動を実行させるように命令する複数の取得命令を発行するステップを実行するためのプログラムコードを格納するように構成できる。
【０１０９】
オプションとして、この実施形態においては、格納媒体は下記の、複数の取得命令により、第１対象物の複数の第１画像情報の取得を誘発するステップと、複数の比較結果を得るために、第１画像情報のそれぞれを、予め定義されている条件を満足する画像と比較するステップを実行するためのプログラムコードを格納するように構成できる。追加的に、複数の比較結果の中の同一の比較結果の数が所定の閾値を超える場合、第１対象物は検証をパスすると決定される。
第６実施形態
【０１１０】
本出願の実施形態においては、対象物検証方法が更に提供される。図６は、この対象物検証方法のフローチャートを示している。方法は下記の
ステップＳ６０２、第１対象物の画像情報を取得することと、
ステップＳ６０４、第１対象物の画像情報に基づいて、第１対象物に類似している特徴を有している第２対象物を識別することと、
ステップＳ６０６、比較結果を得るために、第１対象物の画像情報を、第１対象物の予め格納されている画像と、第２対象物の予め格納されている画像それぞれと比較することと、
ステップＳ６０８、比較結果に基づいて、第１対象物が検証をパスするかどうかを決定することを含んでいる。
【０１１１】
ステップＳ６０２からＳ６０８における第１対象物は、顔認識で支払を完了したいと所望しているユーザのような、顔認識を必要としている対象物であるということに留意すべきである。
【０１１２】
オプションとして、ユーザがショッピングソフトウェアアプリケーション上で注文を出した後に支払インタフェースまできたときに、または、支払ソフトウェアアプリケーション（例えば、ＷｅＣｈａｔ、またはバンキングソフトウェアアプリケーション）を直接起動した後に、ユーザのモバイル端末におけるカメラが起動され、ユーザの画像情報を取得し、取得された画像は、モバイル端末の画面上に表示される。そして、モバイル端末は、クラウドサーバから、第１対象物の予め格納されている画像と、第１対象物に類似している特徴を有している第２対象物の予め格納されている画像を得る。第２対象物の予め格納されている画像を得る前に、モバイル端末またはクラウドサーバは、第１対象物の画像情報を、他の対象物の画像情報と比較して比較結果を得て、第２対象物は、比較結果に基づいて識別される。比較結果は、類似性の程度であってよい。つまり、所定の類似性の程度より高い類似性の程度を有する如何なる対象物も、第２対象物として識別される。第２対象物が識別された後、モバイル端末は、第１類似性値を得るために、第１対象物の取得された画像情報と、第１対象物の予め格納されている画像との間の類似性を計算でき、第２類似性を得るために、第１対象物の取得された画像情報と、第２対象物の予め格納されている画像との間の類似性を計算できる。その後、第１類似性値は、第２類似性値と比較できる。第１類似性値が第２類似性値以上の場合、第１対象物は検証をパスすると決定できる。第１類似性値が第２類似性値よりも小さい場合、第１対象物は検証に失敗すると決定できる。
【０１１３】
上記のプロセスにおいては、第１類似性値は、第１対象物の自己類似性を表わしており、第２類似性値は、第１対象物の第２対象物に対する類似性を表わしているということに留意すべきである。
【０１１４】
追加的に、第１対象物の予め格納されている画像が、異なる時間に取得された複数の第１サブ画像を含んでいる場合は、複数の第１サブ類似性値は、第１対象物の画像情報と、第１サブ画像のそれぞれとの間の類似性を計算することにより得ることができ、複数の第１サブ類似性値の平均値、最大値、最大分散、最小値、または最小分散は、第１類似性値とすることができる。同様に、第２対象物の予め格納されている画像が、異なる時間に取得された複数の第２サブ画像を含んでいる場合は、複数の第２サブ類似性値は、第１対象物の画像情報と、第２サブ画像のそれぞれとの間の類似性を計算することにより得ることができ、複数の第２サブ類似性値の平均値、最大値、最大分散、最小値、または最小分散は、第２類似性値とすることができる。
【０１１５】
ステップＳ６０２からＳ６０８に基づいて、第１対象物の画像情報を取得した後に、第１対象物に類似している特徴を有している第２対象物は、第１対象物の画像情報に基づいて識別され、そして、比較結果を得るために、第１対象物の画像情報は、第１および第２対象物の予め格納されている画像それぞれと比較される。得られた比較結果に基づいて、第１対象物が検証をパスするかどうかが決定される。
【０１１６】
本出願は、検証される対象物を、類似の特徴を有している他の対象物から区別することを目的としているということは容易に認識されるであろう。このプロセスにおいては、検証される対象物の画像情報は、自身の予め格納されている画像とも比較される。検証される対象物の画像情報の、それ自身の予め格納されている画像との類似性は、如何なる他の対象物との類似性よりも高いので、本出願において提案されている方法は、類似の特徴を有している対象物を効果的に区別でき、そのため、削減された顔誤認識率および、より高い情報セキュリティを達成できる。
【０１１７】
従って、本出願の上記の実施形態は、従来の顔誤認識技術における低精度問題を解決する。
【０１１８】
オプションとしての例においては、第１対象物の画像情報に基づいて、第１対象物に類似している特徴を有している第２対象物を識別することは、
ステップＳ６０４０、所定のデータベースから複数の対象物の画像情報を得ることと、
ステップＳ６０４２、第１対象物と複数の対象物との間の類似性の程度を得るために、第１対象物の画像情報を、複数の対象物の画像情報と比較することと、
ステップＳ６０４４、類似性の程度および所定の類似性の程度に基づき、第２対象物を複数の対象物から識別することを備えている。
【０１１９】
オプションとしての例においては、第１対象物の画像情報を取得した後、モバイル端末は、第１対象物の取得された画像情報をクラウドサーバに送信でき、クラウドサーバは、第１対象物の画像情報を複数の予め格納されている画像と比較して、それとの類似性の程度を決定し、類似性の程度が第１所定の類似性の程度よりも高い、予め格納されている画像は何れもモバイル端末に送る。
【０１２０】
他のオプションとしての例においては、第１対象物の画像情報を取得した後、モバイル端末は、第１対象物の取得された画像情報をクラウドサーバに送信でき、クラウドサーバは、第１対象物の画像情報に基づいて第１対象物のプロファイル情報（例えば、名前、ＩＤカード番号）を決定し、プロファイルの類似性の程度を決定するために、第１対象物のプロファイル情報を、予め格納されているプロファイル情報と比較する。プロファイルの類似性の程度が第２所定の類似性の程度よりも高い、予め格納されているプロファイル情報は何れも選択される。引き続いて、選択された予め格納されているプロファイル情報に基づいて、予め格納されている画像が得られ、モバイル端末に送られる。双子または他の多胎児は、名前またはＩＤカード番号において類似する傾向があるので、このアプローチは、第２対象物が、双子または、多胎児の２人のような第１対象物とのそのような関係を有している場合、第２対象物の予め格納されている画像を効果的に識別できるということに留意すべきである。
【０１２１】
更に他のオプションとしての例においては、第１対象物の画像情報を取得した後に、モバイル端末は、第１対象物の取得された画像情報をクラウドサーバに送ることができ、クラウドサーバは、その画像情報に基づいて、第１対象物のプロファイル情報（例えば、名前、ＩＤカード番号、世帯登録情報）を決定し、プロファイル相関性の程度を決定するために、第１対象物のプロファイル情報を、予め格納されているプロファイル情報と比較する。プロファイル相関性の程度が第３所定の類似性の程度よりも高い、予め格納されているプロファイル情報は何れも選択される。引き続いて、選択された予め格納されているプロファイル情報に基づいて、予め格納されている画像が得られ、モバイル端末に送られる。両親および彼らの子供は、名前、ＩＤカード番号、および世帯登録情報において相関がある傾向があるので、このアプローチは、第２対象物が、第１対象物とのそのような相関がある場合、第２対象物の予め格納されている画像を効果的に識別できるということに留意すべきである。
【０１２２】
更に、前述の３つのアプローチは、互いに任意に組み合わせることができ、または、ここにおいて言及していない他の可能なアプローチと組み合わせることができるということにも留意すべきであるが、その詳細な記述はここにおいては省略する。
【０１２３】
上記の実施形態の番号付けは例示の目的のみのためであり、それらの優位性または下位性を意味としては含んでいない。
【０１２４】
上記の実施形態のそれぞれは、それら自身に重点をおいて記述されている。実施形態のある１つにおいて詳細に記述されていない如何なる特徴に対しても、そこにおける更なる詳細のために、任意の他の実施形態の記述を参照できる。
【０１２５】
ここにおいて記述されている幾つかの実施形態において開示される主題は、他の方法でも実践できるということは理解されるべきである。上述した装置の実施形態は例に過ぎない。例えば、ここにおいては、種々のモジュールの境界は、それらの論理機能のみにより定義されているが、実践においては他の方法でも定義できる。例えば、そのような複数のモジュールまたは構成要素は、他のシステムに組み合わせることができ、または統合でき、または、ある特徴は省略でき、または実現しなくてもよい。更に、要素間またはモジュール間で例示されている、または検討されている結合は、電気的または他の方法で達成される間接的な結合または互いに通信可能な接続と共に、インタフェースにより達成される直接的結合または互いに通信可能な接続を含んでいる。
【０１２６】
ここにおいて別個の構成要素として記述されてきたモジュールは、物理的に別個であっても、そうでなくてもよく、モジュールとして示されてきた構成要素は、物理的なモジュールであっても、そうでなくてもよい。それらは、単一の場所に配置でき、または、複数のネットワーク装置にわたり分散できる。実際に必要であれば、そのようなモジュールのすべてまたは幾つかは、ここにおいて開示されている実施形態に従って選択できる。
【０１２７】
追加的に、本出願において提供される種々の実施形態に含まれている種々の機能モジュールは、単一の処理モジュールに統合でき、または、物理的モジュールとして別個に存在できる。代替として、そのような機能モジュールの２つ以上は、１つのモジュールに統合される。そのような統合されたモジュールは、ハードウェアまたはソフトウェア機能モジュールとして実現できる。
【０１２８】
ソフトウェア機能ブロックとして実現され、別個の製品として販売または使用されるときは、統合されたモジュールは、コンピュータ読取り可能格納媒体に格納できる。これを踏まると、本出願の主題はそれ自体で、または、その一部において従来技術より利点があり、主題の一部または全体は、格納媒体に格納され、演算装置（例えば、パーソナルコンピュータ、サーバ、ネットワークアプライアンスなど）に、本出願の種々の実施形態において提供される方法におけるすべてのステップまたは幾つかのステップを実行させる多数の命令を含んでいるソフトウェア製品として具現化できる。格納媒体の例としては、フラッシュメモリ、リードオンリメモリ（ＲＯＭ）、ランダムアクセスメモリ（ＲＡＭ）、取外し可能ハードディスクドライブ、磁気ディスク格納装置、および光ディスク格納装置などのような、プログラムコードを格納できる種々の媒体がある。
【０１２９】
上記に提示したものは、本出願の好適な実施形態の幾つかに過ぎない。本出願の原則から逸脱することなく、当業者により多くの他の改良および修正が可能であるということは理解されるべきである。従って、そのような改良および修正はすべて本出願の範囲内であることが意図されている。
【図１】
2021523481.tif 000003
【図２】
2021523481.tif 000004
【図３】
2021523481.tif 000005
【図４】
2021523481.tif 000006
【図５】
2021523481.tif 000007
【図６】
2021523481.tif 000008
【国際調査報告】
2021523481.tif 000009
2021523481.tif 000010
2021523481.tif 000011
2021523481.tif 000012